【事件の表示】
　特許第３０７８５２７号「ウエットシート収納箱およびその製造方法」の請求項１ないし５に係る特許に対する特許異議の申立てについて、次のとおり決定する。
【結　論】
　訂正を認める。
　特許第３０７８５２７号の請求項１ないし５に係る特許を取り消す。
【理　由】
１．手続の経緯
　本件特許第３０７８５２７号に係る出願は、平成１０年９月８日の出願であって、平成１２年６月１６日に特許の設定登録がなされ、その後、株式会社フクヨーから特許異議の申立がなされ、取消理由通知が通知され、その指定期間内である平成１３年７月６日付けで訂正請求がなされたものである。
　
２．訂正の要旨
　訂正事項ａ：特許請求の範囲を、次のように訂正する。
「【請求項１】　ウエットシートの集積物を収納し、その上面に下取出口を形成した、柔軟で気密性のある収納袋と、該収納袋を収納し、その上面に開口を形成した、形状保持性を有する紙製箱と、該紙製箱の開口の周囲表面とともに、前記収納袋の下取出口の周囲表面に、接着剤によって、その裏面が接着された、合成樹脂製であり、わずかな変形のみ許容する剛性の開閉蓋ユニットとからなり、該開閉蓋ユニットは、略中央に上取出口が形成された取付板と、該取付板にヒンジを介して開閉自在に取付けられた蓋とからなり、前記紙製箱の開口は、前記収納袋の下取出口より大きく、前記開閉蓋ユニットの上取出口は前記収納袋の下取出口とほぼ同じか又はより小さい大きさであり、前記開閉蓋ユニットの上取出口の周囲における取付板の裏面が、前記紙製箱の開口の周囲および前記収納袋の下取出口の周囲に接着剤で接合されていることを特徴とするウエットシート収納箱。
【請求項２】　前記開閉蓋ユニットは、取付板と蓋の双方に係合部を形成して、蓋を取付板に形成した上取出口の周囲を塞ぐように閉じたり、開けたりできるようにしたことを特徴とする請求項１記載のウエットシート収納箱。
【請求項３】　前記開閉蓋ユニットは、蓋と取付板との間に、蓋を開放方向に付勢するゴム片を介在させ、かつ蓋と取付板の係合部同士の係合を外すように取付板を変形させるために該取付板に形成した押ボタン部を有することを特徴とする請求項２記載のウエットシート収納箱。
【請求項４】　前記開閉蓋ユニットの上取出口に、該上取出口を繰り返して開閉できる開閉ラベルが貼付されたことを特徴とする請求項１、２または３記載のウエットシート収納箱。
【請求項５】　ウエットシートの集積物を収納し、その上面に下取出口を形成した収納袋を、その上面に前記下取出口より大きい開口を形成した紙製箱に収容し、該紙製箱の開口の周囲とともに、前記収納袋の下取出口の周囲表面に接着剤を塗布し、その上に、上取出口を形成した取付板にヒンジを介して蓋を取付けた開閉蓋ユニットの取付板の裏面を接着し、前記開閉蓋ユニットの上取出口の周囲における取付板の裏面を、前記紙製箱の開口の周囲および前記収納袋の下取出口の周囲に接合することを特徴とするウエットシート収納箱の製造方法。」
　訂正事項ｂ：明細書の段落【０００７】の記載を、次のように訂正する。
「【課題を解決するための手段】　
　請求項１のウエットシート収納箱は、ウエットシートの集積物を収納し、その上面に下取出口を形成した、柔軟で気密性のある収納袋と、該収納袋を収納し、その上面に開口を形成した、形状保持性を有する紙製箱と、該紙製箱の開口の周囲表面とともに、前記収納袋の下取出口の周囲表面に、接着剤によって、その裏面が接着された、合成樹脂製であり、わずかな変形のみ許容する剛性の開閉蓋ユニットとからなり、該開閉蓋ユニットは、略中央に上取出口が形成された取付板と、該取付板にヒンジを介して開閉自在に取付けられた蓋とからなり、前記紙製箱の開口は、前記収納袋の下取出口より大きく、前記開閉蓋ユニットの上取出口は前記収納袋の下取出口とほぼ同じか又はより小さい大きさであり、前記開閉蓋ユニットの上取出口の周囲における取付板の裏面が、前記紙製箱の開口の周囲および前記収納袋の下取出口の周囲に接着剤で接合されていることを特徴とする。
　請求項２のウエットシート収納箱は、請求項１記載の前記開閉蓋ユニットは、取付板と蓋の双方に係合部を形成して、蓋を取付板に形成した上取出口の周囲を塞ぐように閉じたり、開けたりできるようにしたことを特徴とする。
　請求項３のウエットシート収納箱は、請求項２記載の前記開閉蓋ユニットは、蓋と取付板との間に、蓋を開放方向に付勢するゴム片を介在させ、かつ蓋と取付板の係合部同士の係合を外すように取付板を変形させるために該取付板に形成した押ボタン部を有することを特徴とする。
　請求項４のウエットシート収納箱は、請求項１、２または３記載の前記開閉蓋ユニットの上取出口に、該上取出口を繰り返して開閉できる開閉ラベルが貼付されたことを特徴とする。
　請求項５のウエットシート収納箱の製造方法は、ウエットシートの集積物を収納し、その上面に下取出口を形成した収納袋を、その上面に前記下取出口より大きい開口を形成した紙製箱に収容し、該紙製箱の開口の周囲とともに、前記収納袋の下取出口の周囲表面に接着剤を塗布し、その上に、上取出口を形成した取付板にヒンジを介して蓋を取付けた開閉蓋ユニットの取付板の裏面を接着し、前記開閉蓋ユニットの上取出口の周囲における取付板の裏面を、前記紙製箱の開口の周囲および前記収納袋の下取出口の周囲に接合することを特徴とする。」
　訂正事項ｃ：明細書の段落【０００８】の記載を、次のように訂正する。
「請求項１の発明によれば、開閉蓋ユニットの上取出口はわずかな変形しか許容しない剛性を有しているので、ウエットシートを取り出すとき適度な抵抗をウエットシートに与え、１枚づつ取り出すとき２枚目の引きずり出しを防止するので、確実に１枚づつ取り出すことができる。
　また、紙製箱の開口の周囲表面に接着剤を塗布して、開閉蓋ユニットの裏面を接着させているので、開閉蓋ユニットを紙製箱に強固に接合できる。しかも、この作業は外から押圧するだけの作業であり、位置決めもさほどの正確さを要しないので、完全自動化が容易であり、生産性を大きく向上させることができる。
　さらに、開閉蓋ユニットの上取出口の周囲における取付板の裏面が紙製箱の開口の周囲だけでなく収納袋の下取出口の周囲にも接着されているので、開閉蓋ユニットが収納袋に対しても強固に接合できる。そして、上取出口と下取出口との間にある紙製箱の開口が上取出口および下取出口の内縁より外方にあるので、ウエットシートのもつ湿気によって、素材である紙が弱くなったり劣化することがなく、ウエットシートを全部使用するまでの間、紙製箱の形が崩れることがない。
　請求項２の発明によれば、係合部によって蓋が自然と開くことがないので、収納袋中のウエットシートへの異物の付着が避けられる。
　請求項３の発明によれば、押ボタン部を指で押すと取付板が変形して係合部が外れ、ゴム片によって蓋が自然に開くので、ワンタッチで蓋が開けられ、操作が容易である。
　請求項４の発明によれば、密閉ラベルを開閉蓋の上取出口に対して繰り返し開閉できるので、残りのウエットシートが乾燥するのを防止できる。
　請求項５の発明によれば、主として、紙製箱に収納袋を入れる動作と、紙製箱の開口の周囲表面に接着剤を塗布する操作と、この接着剤を塗布した開口の周囲表面に開閉蓋ユニットを押圧して接着する動作のみで、製造が完了する。これらの各工程はいずれも簡単であり、外から押圧するだけの作業で足り、紙製箱の内部での作業が不要であるので、完全機械化が可能である。よって、高い生産性を発揮できる。しかも、開閉蓋ユニットが紙製箱にも、その内部の収納袋にも強固に接合されたウエットトシート収納箱が得られる。」
　訂正事項ｄ：明細書の段落【００２９】の記載を、次のように訂正する。
「【発明の効果】
　請求項１のウエットシートによれば、開閉蓋ユニットの上取出口はわずかな変形しか許容しない剛性を有しているので、ウエットシートを取り出すとき適度な抵抗をウエットシートに与え、１枚づつ取り出すとき２枚目の引きずり出しを防止するので、確実に１枚づつ取り出すことができる。
　また、紙製箱の開口の周囲表面に接着剤を塗布して、開閉蓋ユニットの裏面を接着させているので、開閉蓋ユニットを紙製箱に強固に接合できる。しかも、この作業は外から押圧するだけの作業であり、位置決めもさほどの正確さを要しないので、完全自動化が容易であり、生産性を大きく向上させることができる。
　さらに、開閉蓋ユニットの上取出口の周囲における取付板の裏面が紙製箱の開口の周囲だけでなく収納袋の下取出口の周囲にも接着されているので、開閉蓋ユニットが収納袋に対しても強固に接合できる。そして、上取出口と下取出口との間にある紙製箱の開口が上取出口および下取出口の内縁より外方にあるので、ウエットシートのもつ湿気によって、素材である紙が弱くなったり劣化することがなく、ウエットシートを全部使用するまでの間、紙製箱の形が崩れることがない。
　請求項２のウエットシート収納箱によれば、係合部によって蓋が自然と開くことがないので、収納袋中のウエットシートへの異物の付着が避けられる。
　請求項３のウエットシート収納箱によれば、押ボタン部を指で押すと取付板が変形して係合部が外れ、ゴム片によって蓋が自然に開くので、ワンタッチで蓋が開けられ、操作が容易である。
　請求項４のウエットシート収納箱によれば、密閉ラベルを開閉蓋の上取出口に対して繰り返し開閉できるので、残りのウエットシートが乾燥するのを防止できる。
　請求項５のウエットシート収納箱の製造方法によれば、主として、紙製箱に収納袋を入れる動作と、紙製箱の開口の周囲表面に接着剤を塗布する操作と、この接着剤を塗布した開口の周囲表面に開閉蓋ユニットを押圧して接着する動作のみで、製造が完了する。これらの各工程はいずれも簡単であり、外から押圧するだけの作業で足り、紙製箱の内部での作業が不要であるので、完全機械化が可能である。よって、高い生産性を発揮できる。しかも、開閉蓋ユニットが紙製箱にも、その内部の収納袋にも強固に接合されたウエットトシート収納箱が得られる。」
　
３．訂正の適否
　上記訂正事項ａに係る訂正は、特許請求の範囲の減縮を目的とするものであり、訂正事項ｂ〜ｄに係る訂正は、訂正事項ａに関連してなされた明りょうでない記載の釈明に該当し、いずれの訂正も、願書に添付した明細書又は図面に記載した事項の範囲内のものであり、さらに、実質上特許請求の範囲を拡張し、又は変更するものではない。
　したがって、上記訂正は、平成１１年改正前の特許法第１２０条の４第２項及び第３項で準用する特許法第１２６条第２項及び第３項の規定に適合するので、当該訂正を認める。
　
４．異議の申立てについての判断
（１）本件発明
　上記のように訂正が認められるから、本件の請求項１ないし５に係る発明（以下、「本件発明１ないし５」という。）は、訂正明細書の特許請求の範囲の請求項１ないし５に記載された事項により特定されるとおりのものである。（上記２．訂正事項ａ参照）　
（２）引用刊行物記載の発明
　これに対して、当審が先に通知した取消理由通知で引用した、特開平９−２５４７号公報（異議申立人提出の甲第１号証。以下、「刊行物１」という。）には、段落【００２５】〜【００３３】および図１〜３の記載を参照すると、「ウエットティッシュの積層体を収納し、その上面部にウエットティッシュ取出口を形成した、柔軟で気密性のある封入袋と、該封入袋を収納し、その上面部に型材を嵌合させるためのかなり大きな開口部を形成した、形状保持性を有する紙箱と、該紙箱の開口縁部上面とともに、前記封入袋のウエットティッシュ取出口周囲上面部に、接着剤によって、その下面が接着された、紙箱とともに外装体を構成するプラスチック製の型材とからなり、該型材は、略中央に開口部が形成された枠体と、該枠体に、これを中心にして上下に弧回動開閉し得る薄肉状の連結部で連結された蓋板とからなり、前記紙箱の開口部は、前記封入袋のウエットティッシュ取出口より大きく、型枠の開口部は、前記封入袋のウエットティッシュ取出口より大きいウエットティッシュ包装体」及び「ウエットティッシュの積層体を収納し、その上面部にウエットティッシュ取出口を形成した封入袋を、その上面部に前記ウエットティッシュ取出口より大きい開口部を形成した紙箱に収納し、該紙箱の開口縁部とともに、前記封入袋のウエットティッシュ取出口周囲上面部に、接着剤によって、その上に、開口部が形成された枠体に、これを中心にして上下に弧回動開閉し得る薄肉状の連結部で蓋板を連結した型材の枠体の下面を接着するウエットティッシュ包装体の製造方法」という発明が記載されている。
　また、同、特開平８−２４４８６１号公報（異議申立人提出の甲第２号証。以下、「刊行物２」という。）には、段落【００１５】〜【００１８】、【００２９】および図１、３、４の記載を参照すると、「ウエットティッシュの積層体を収納し、その上面に連結口を形成した密閉袋と、該密閉袋を収納する上方開口型の容器本体と、容器本体に嵌込まれる蓋装置とからなり、該蓋装置は、容器本体の開口を密閉し、取出口と取出口周縁に設けられ密閉袋の連結口の周囲を係合する延長部を形成した薄板をその略中央部に有する蓋本体と、蓋本体にヒンジ部を介して一体形成された開閉蓋とからなり、蓋装置は、開閉蓋が取出口を密閉するようになっていて、蓋本体の一側縁には係止片が、開閉蓋には係止片に係合する係合片が取り付けられており、蓋装置の取出口は密閉袋の連結口より小さいウエットティッシュ用容器」という発明が記載されている。　
　同、特開平９−３９９９６号公報（異議申立人提出の甲第３号証。以下、「刊行物３」という。）には、特許請求の範囲の請求項１、段落【００１４】、【００２２】、【００２３】、【００２８】および図１〜４の記載を参照すると、「ウエットペーパーを収納する容器を箱体と中蓋とから構成し、箱体の上縁部に嵌着された、可撓性を有するプラスチック製の中蓋の天面部に開口部が形成され、該天面部にヒンジにより回動可能に接合されて上記開口部を覆う蓋のヒンジ近傍に弾性復元力により上記蓋を全開可能とするゴム状弾性体が配設され、天面部の蓋が被着される部分の両側には押圧指定部としてのエンボスが形成されており、蓋の閉蓋状態で、押圧指定部が押圧されると、天面部等の撓み変形によって、係止機構部（天面部側の係止凹部と蓋側の係止凸部）の係止作用が解除され、このときゴム状弾性体の弾性復元力により蓋が全開する」という発明が記載されている。　
　同、実公平６−３５３号公報（異議申立人提出の甲第５号証。以下、「刊行物４」という。）には、実用新案登録請求の範囲の請求項１の記載を参照すると、「重合する湿式シート材を収納する容器本体の取出口の周縁に圧着されて取出口を密閉する蓋材を多数回繰り返して剥離、圧着可能に設ける」という発明が記載されている。　
（３）対比・判断
ア．本件発明１について
　対比・判断に先立て検討すると、本件発明１において「紙製箱の開口の周囲」、「収納袋の下取出口の周囲」とあるが、これら「紙製箱の開口の周囲」、「収納袋の下取出口の周囲」の意味する部分は、「紙製箱の開口の周囲」とともに「収納袋の下取出口の周囲」に塗布された接着剤によって、開閉蓋ユニットの裏面が接着されるのであるから、開閉蓋ユニットの裏面と接する部分となるものと解される。また、「開閉蓋ユニットの裏面」と「開閉蓋ユニットの上取出口の周囲における取付板の裏面」との関係は、「取付板」の構成が明記されていないのではっきりはしないが、少なくとも、「開閉蓋ユニットの裏面」に「開閉蓋ユニットの上取出口の周囲における取付板の裏面」は含まれると解され、そうなると、本件発明１における「紙製箱の開口の周囲表面とともに、収納袋の下取出口の周囲表面に、接着剤によって、その裏面が接着された・・・開閉蓋ユニット」と「開閉蓋ユニットの上取出口の周囲における取付板の裏面が、紙製箱の開口の周囲および収納袋の下取出口の周囲に接着剤で接合されている」とは、同じ構成を言い換えているにすぎないものといえる。
　その上で、本件発明１と、刊行物１に記載された発明とを比較すると、刊行物１に記載された発明の「ウエットティッシュの積層体」、「ウエットティッシュ取出口」、「封入袋」、「紙箱の開口部」、「紙箱」、「紙箱の開口縁部上面」、「封入袋のウエットティッシュ取出口周囲上面部」、「下面」、「型材」、「型材の開口部」、「枠体」、「これを中心にして上下に弧回動開閉し得る薄肉状の連結部」、「蓋板」及び「ウエットティッシュ包装体」は、それぞれ、本件発明１の「ウエットシートの集積物」、「下取出口」、「収納袋」、「開口」、「紙製箱」、「紙製箱の開口の周囲表面」、「収納袋の下取出口の周囲表面」、「裏面」、「開閉蓋ユニット」、「上取出口」、「取付板」、「ヒンジ」、「蓋」及び「ウエットシート収納箱」に相当するから、両者は、ウエットシートの集積物を収納し、その上面に下取出口を形成した、柔軟で気密性のある収納袋と、該収納袋を収納し、その上面に開口を形成した、形状保持性を有する紙製箱と、該紙製箱の開口の周囲表面とともに、前記収納袋の下取出口の周囲表面に、接着剤によって、その裏面が接着された、合成樹脂製である開閉蓋ユニットとからなり、該開閉蓋ユニットは、略中央に上取出口が形成された取付板と、該取付板にヒンジを介して開閉自在に取付けられた蓋とからなり、前記紙製箱の開口は、前記収納袋の下取出口より大きく、開閉蓋ユニットの上取出口の周囲における取付板の裏面が、前記紙製箱の開口の周囲および前記収納袋の下取出口の周囲に接着剤で接合されているウエットシート収納箱の点で一致し、下記の点で相違している。
ａ．開閉蓋ユニットは、本件発明１では、わずかな変形のみ許容する剛性のものであるのに対し、刊行物１に記載された発明では、そのような限定がない点。
ｂ．開閉蓋ユニットの上取出口は収納袋の下取出口と、本件発明１では、ほぼ同じか又はより小さい大きさであるのに対し、刊行物１に記載された発明では、逆により大きい大きさである点。　
　しかしながら、刊行物１に記載された発明において型枠は、紙箱とともに外装体を構成し、柔軟な封入袋を収納するものであり、上記相違点ａにおける本件発明１のように、わずかな変形のみ許容する剛性のものとすることは、当業者が適宜なし得ることにすぎない。
　上記相違点ｂを検討するために、刊行物２に記載された発明をみると、刊行物２に記載された発明の「ウエットティッシュの積層体」、「連結口」、「密閉袋」、「上方開口」、「蓋装置」、「取出口」、「薄板をその略中央部に有する蓋本体」、「開閉蓋」及び「ウエットティッシュ用容器」は、それぞれ、本件発明１の「ウエットシートの集積物」、「下取出口」、「収納袋」、「開口」、「開閉蓋ユニット」、「上取出口」、「取付板」、「蓋」及び「ウエットシート収納箱」に相当し、刊行物２に記載された発明の「容器本体」は、本件発明１の「紙製箱」に対応するから、刊行物２には、本件発明１及び刊行物１に記載された発明と同様なウエットシート収納箱において、開閉蓋ユニットの上取出口は収納袋の下取出口より小さい大きさであるという、上記相違点ｂにおける本件発明１の構成が記載されているといえ、これを、刊行物１に記載された発明に適用することは、当業者が適宜なし得ることにすぎない。そして、本件発明１が奏する作用効果は、刊行物１及び２に記載された発明から予測できる程度のものである。
  したがって、本件発明１は、刊行物１及び２に記載された発明に基づいて当業者が容易に発明できたものである。
イ．本件発明２について
　本件発明２は、本件発明１を引用し、さらに「前記開閉蓋ユニットは、取付板と蓋の双方に係合部を形成して、蓋を取付板に形成した上取出口の周囲を塞ぐように閉じたり、開けたりできるようにした」という構成を付加し技術的に限定したものであるが、刊行物２に記載された発明の「蓋装置は、開閉蓋が取出口を密閉するようになっていて、蓋本体の一側縁には係止片が、開閉蓋には係止片に係合する係合片が取り付けられており」という構成は、刊行物２に記載された発明の「蓋本体の係止片と、開閉蓋の係止片に係合する係合片」が、本件発明２の「取付板と蓋の双方に形成した係合部」に相当するから、本件発明２の上記限定された構成と同様といえる。また、本件発明１は、上記で検討したとおりである。
　したがって、本件発明２は、刊行物１及び２に記載された発明に基づいて当業者が容易に発明できたものである。
ウ．本件発明３について
　本件発明３は、本件発明２を引用し、さらに「前記開閉蓋ユニットは、蓋と取付板との間に、蓋を開放方向に付勢するゴム片を介在させ、かつ蓋と取付板の係合部同士の係合を外すように取付板を変形させるために該取付板に形成した押ボタン部を有する」という構成を付加し技術的に限定したものである。
　ここで、本件発明２は、上記で検討したとおりであるので、それを踏まえて限定された構成について検討するために刊行物３を見ると、刊行物３には、本件発明３及び刊行物１、２に記載された発明と同様なウエットシート収納箱において、「可撓性を有するプラスチック製の中蓋（本件発明３の「開閉蓋ユニット」に相当）の天面部（本件発明３の「取付板」に相当）に開口部（本件発明３の「上取出口」に相当）が形成され、該天面部にヒンジにより回動可能に接合されて上記開口部を覆う蓋のヒンジ近傍に弾性復元力により上記蓋を全開可能とするゴム状弾性体（本件発明３の「ゴム片」に相当）が配設され、天面部の蓋が被着される部分の両側には押圧指定部（本件発明３の「押ボタン部」に相当）としてのエンボスが形成されており、蓋の閉蓋状態で、押圧指定部が押圧されると、天面部等の撓み変形によって、係止機構部（天面部側の係止凹部と蓋側の係止凸部）（本件発明３の「蓋と取付板の係合部」に相当）の係止作用が解除され、このときゴム状弾性体の弾性復元力により蓋が全開する」という構成が記載されている。これは、本件発明３の上記限定された構成と同様といえ、この構成を、刊行物１に記載された発明に適用することは、当業者が適宜なし得ることにすぎない。そして、本件発明３が奏する作用効果は、刊行物１ないし３に記載された発明から予測できる程度のものである。
　したがって、本件発明３は、刊行物１ないし３に記載された発明に基づいて当業者が容易に発明できたものである。
エ．本件発明４について
　本件発明４は、本件発明１、２または３を引用し、さらに「前記開閉蓋ユニットの上取出口に、該上取出口を繰り返して開閉できる開閉ラベルが貼付された」という構成を付加し技術的に限定したものである。
　ここで、本件発明１ないし３は、上記で検討したとおりであるので、それを踏まえて限定された構成について検討するために刊行物４を見ると、刊行物４には、本件発明４及び刊行物１ないし３に記載された発明と同様な密封包装容器収納箱において、収納した重合する湿式シート材（本件発明４の「ウエットシート」に相当）を取り出す取出口（本件発明４の「上取出口」に相当）の周縁に圧着されて取出口を密閉する蓋材（本件発明４の「開閉ラベル」に相当）を多数回繰り返して剥離、圧着可能に設ける（本件発明４の「繰り返して開閉できるように貼付」に相当）」という構成が記載されている。これは、本件発明４の上記限定された構成と同様といえ、この構成を、刊行物１に記載された発明に適用することは、当業者が適宜なし得ることにすぎない。そして、本件発明４が奏する作用効果は、刊行物１ないし４に記載された発明から予測できる程度のものである。
　したがって、本件発明４は、刊行物１ないし４に記載された発明に基づいて当業者が容易に発明できたものである。
オ．本件発明５について
　上記ア．本件発明１についてで、先だって検討した事項を踏まえると、本件発明５における「紙製箱の開口の周囲とともに、収納袋の下取出口の周囲表面に接着剤を塗布し、その上に、・・・開閉蓋ユニットの取付板の裏面を接着し」と「開閉蓋ユニットの上取出口の周囲における取付板の裏面を、紙製箱の開口の周囲および収納袋の下取出口の周囲に接合する」とは、同じ構成を言い換えているにすぎないものといえる。
　その上で、本件発明５と、刊行物１に記載された発明とを比較すると、刊行物１に記載された発明の「ウエットティッシュの積層体」、「ウエットティッシュ取出口」、「封入袋」、「紙箱の開口部」、「紙箱」、「紙箱の開口縁部」、「封入袋のウエットティッシュ取出口周囲上面部」、「下面」、「型材」、「型材の開口部」、「枠体」、「これを中心にして上下に弧回動開閉し得る薄肉状の連結部」、「蓋板」及び「ウエットティッシュ包装体の製造方法」は、それぞれ、本件発明５の「ウエットシートの集積物」、「下取出口」、「収納袋」、「開口」、「紙製箱」、「紙製箱の開口の周囲」、「収納袋の下取出口の周囲表面」、「裏面」、「開閉蓋ユニット」、「上取出口」、「取付板」、「ヒンジ」、「蓋」及び「ウエットシート収納箱の製造方法」に相当するから、本件発明５は、刊行物１に記載されているといえる。
　したがって、本件発明５は、刊行物１に記載された発明と同一である。　　
　
５．むすび
　以上のとおりであるから、本件発明１ないし４は、特許法第２９条第２項の規定に、また、本件発明５は、特許法第２９条第１項第３号の規定に違反して特許されたものである。
　したがって、本件発明１ないし５の特許は、特許法第１１３条第２項に該当し、取り消されるべきものである。
　よって、結論のとおり決定する。
【異議決定日】
平成１３年８月２０日（２００１．８．２０）
【訂正の要旨】
審決（決定）の【理由】欄参照。
（５４）【発明の名称】
ウエットシート収納箱およびその製造方法
（５７）【特許請求の範囲】
　【請求項１】
　ウエットシートの集積物を収納し、その上面に下取出口を形成した、柔軟で気密性のある収納袋と、
該収納袋を収納し、その上面に開口を形成した、形状保持性を有する紙製箱と、
該紙製箱の開口の周囲表面とともに、前記収納袋の下取出口の周囲表面に、接着剤によって、その裏面が接着された、合成樹脂製であり、わずかな変形のみ許容する剛性の開閉蓋ユニットとからなり、
該
前記紙製箱の開口は、前記収納袋の下取出口より大きく、前記開閉蓋ユニットの上取出口は前記収納袋の下取出口とほぼ同じか又はより小さい大きさであ
り、
前記開閉蓋ユニットの上取出口の周囲における取付板の裏面が、前記紙製箱の開口の周囲および前記収納袋の下取出口の周囲に接着剤で接合されている
ことを特徴とするウエットシート収納箱。
　【請求項２】
　前記開閉蓋ユニットは、取付板と蓋の双方に係合部を形成して、蓋を取付板に形成した上取出口の周囲を塞ぐように閉じたり、開けたりできるようにした
ことを特徴とする請求項１記載のウエットシート収納箱。
　【請求項３】
　前記開閉蓋ユニットは、蓋と取付板との間に、蓋を開放方向に付勢するゴム片を介在させ、かつ蓋と取付板の係合部同士の係合を外すように取付板を変形させるために該取付板に形成した押ボタン部を有する
ことを特徴とする請求項２記載のウエットシート収納箱。
　【請求項４】
　前記開閉蓋ユニットの上取出口に、該上取出口を繰り返して開閉できる開閉ラベルが貼付された
ことを特徴とする請求項１、２または３記載のウエットシート収納箱。
　【請求項５】
　ウエットシートの集積物を収納し、その上面に下取出口を形成した収納袋を、その上面に前記下取出口より大きい開口を形成した紙製箱に収容し、
該紙製箱の開口の周囲とともに、前記収納袋の下取出口の周囲表面に接着剤を塗布し、
その上に、上取出口を形成した取付板にヒンジを介して蓋を取付けた開閉蓋ユニットの取付板の裏面を接着
し、
前記開閉蓋ユニットの上取出口の周囲における取付板の裏面を、前記紙製箱の開口の周囲および前記収納袋の下取出口の周囲に接合する
ことを特徴とするウエットシート収納箱の製造方法。
【発明の詳細な説明】
　【０００１】
　【発明の属する技術分野】
　本発明は、ウエットシート収納箱およびその製造方法に関する。
　本明細書にいうウエットシートには、便器などを清掃するための厚みのある清掃用ウエットシートや、赤ちゃんのお尻を拭いたり、油の付いた手から油を拭い取ったりするための薄いウエットティッシュなどがある。このウエットシートは、清掃用ウエットシートやウエットシートのいずれであっても、湿っているからこそ、前記のごとく汚れや油を効率よく落とすことができる。
　これらのウエットシートは使いやすくするため、多数枚を気密性のある収納袋あるいは収納箱に入れておき、取出口から１枚づつ取り出せるようにされている。そして、何度、ウエットシートを取り出しても、収納箱や袋の内部を気密に閉じることができ、収納された残りのウエットシートの乾燥を防止できるものでなければならない。
　【０００２】
　【従来の技術】
　従来例Ｉ
　特開平７−２９１３７０号公報や特開平８−１９８３５０号公報に記載された従来例Ｉは、柔軟な樹脂製で気密性のあるシートから収納袋を作成し、その内部にウエットシートを数１０枚程度入れておき、収納袋の上面に長楕円形の取出口を形成し、この取出口は、感圧接着剤等を塗布した貼付剥離自在な開閉ラベルで密閉できるよう構成されている。
　しかるに、この従来例Ｉは、収納袋を構成する樹脂製シートが柔軟なものであるので、取出口の周囲が柔らかく、形状を一定に保持する力が弱い。このため、ウエットシートを１枚づつ取り出そうとしたとき、取出口がウエットシートの通過に応じて変形し、ウエットシートが何枚もズルズルと出てくることがある。
　とくに、この現象は、ウエットシートをジグザグ折りして一方のウエットシートの真ん中に他方のウエットシートの一端縁が交互に入れ合わして集積物とし、重ね合わされた上面の一枚のウエットシートをつまみ上げると、そのすぐ下面のウエットシートが追従して持ち上げられるようにしたものに著しい。
　また、取出口の周囲が変形したりしわが付いた状態で開閉ラベルを貼付しても、密閉性が無くなるので、内部のウエットシートが乾燥してしまうという不都合も生じやすい。
　【０００３】
　従来例ＩＩ
　特開平７−２１５３７９号公報に記載された従来例ＩＩは、従来例Ｉと同様の樹脂シート製の収納袋を紙製のある程度しっかりした収納箱に入れ、その収納箱にプラスチック製の開閉蓋ユニットを取付けたものである。開閉蓋ユニットは、開口部がほぼ中央に形成された本体と、この本体にヒンジを介して連絡された蓋とからなり、蓋は開口部を密閉できるようになっている。そして、この収納箱に収納袋を入れると、収納袋の取出口の真上に開閉蓋ユニットの開口部が位置するようになっている。したがって、収納箱の開閉蓋ユニットの蓋を開くと、その下の収納袋の取出口からウエットシートを取り出すことができる。
　しかし、この従来例ＩＩでは、収納袋の取出口は柔らかい樹脂シートに形成されているため変形しやすく、取出中のウエットシートに抵抗をかけられない。このため、従来例Ｉと同様にウエットシートを１枚づつ取り出すことができない。
　また、紙製等の収納箱にプラスチック製の開閉蓋ユニットを取付ける方法は、種々の手段が採用されているが、例えば、紙製箱の上面に、開閉蓋ユニットの本体の下面に形成した段差がきちんと嵌まる形状の穴を開け、その穴に段差部分を位置決めして入れてから接着する、等の方法がとられている。
　しかるに、このような穴あけや正確な位置決めを要する製法では、手間と時間がかかり、生産性が悪いという問題がある。例えば、１分間に５０個位が限度である。
　【０００４】
　従来例ＩＩＩ
　特開平８−３１８９７７号公報に記載の従来例ＩＩＩは、柔らかい樹脂シート製の収納袋に、直接、プラスチック製の開閉蓋ユニットを取付けたものである。そして、開閉蓋ユニットの細部の形状は異なるものの、その基本構造は前記従来例ＩＩと同様である。
　しかるに、この従来例は製造が困難で生産性に劣るという問題がある。すなわち、開閉蓋ユニットの本体には開口部の周囲にリブを設け、その周囲に平坦な外縁部を設けており、一方、収納袋の上面には穴を形成し、本体を収納袋の内部に挿入し、前記穴から開口部の周囲のリブと蓋のみ外方に露出させ、収納袋の穴の周囲の裏面に開閉蓋ユニットの平坦な外縁部を接着させるようにしている。
　このように、外に露出させるべき部材（開閉蓋ユニット）をいったん収納袋の内部に挿入しなければならないのは、大変作業が困難なことであり、また、穴にリブを正確に位置合せするのも、機械では困難なことから、全自動で製造できず、部分的にしろ手作業が不可欠となっているからである。
　【０００５】
　従来例ＩＶ
　特開平８−３３７２７６号公報に記載された従来例ＩＶは、紙製のしっかりした収納箱にプラスチック製の開閉蓋ユニットを取付けたものである。この開閉蓋ユニットの取付け方も、収納箱の上面に穴を形成し、開閉蓋ユニットを収納箱の中に入れ、収納箱の裏面に開閉蓋ユニットの本体表側を接着するものであるため、前記従来例ＩＩＩと同様の欠点である生産性の悪さを有するものである。
　【０００６】
　【発明が解決しようとする課題】
　本発明はかかる事情に鑑み、ウエットシートを確実に１枚づつ取出せ、しかも生産性が良好で、密閉性も高いウエットシート収納箱とその製造方法を提供することを目的とする。
　【０００７】
　【課題を解決するための手段】
　請求項１のウエットシート収納箱は、ウエットシートの集積物を収納し、その上面に下取出口を形成した、柔軟で気密性のある収納袋と、該収納袋を収納し、その上面に開口を形成した、形状保持性を有する紙製箱と、該紙製箱の開口の周囲表面とともに、前記収納袋の下取出口の周囲表面に、接着剤によって、その裏面が接着された、合成樹脂製であり、わずかな変形のみ許容する剛性の開閉蓋ユニットとからなり、
該
り、前記開閉蓋ユニットの上取出口の周囲における取付板の裏面が、前記紙製箱の開口の周囲および前記収納袋の下取出口の周囲に接着剤で接合されている
　請求項２のウエットシート収納箱は、請求項１記載の前記開閉蓋ユニットは、取付板と蓋の双方に係合部を形成して、蓋を取付板に形成した上取出口の周囲を塞ぐように閉じたり、開けたりできるようにしたことを特徴とする。
　請求項３のウエットシート収納箱は、請求項
２
　請求項４のウエットシート収納箱は、請求項１、２または３記載の前記開閉蓋ユニットの上取出口に、該上取出口を繰り返して開閉できる開閉ラベルが貼付されたことを特徴とする。
　請求項５のウエットシート収納箱の製造方法は、ウエットシートの集積物を収納し、その上面に下取出口を形成した収納袋を、その上面に前記下取出口より大きい開口を形成した紙製箱に収容し、該紙製箱の開口の周囲とともに、前記収納袋の下取出口の周囲表面に接着剤を塗布し、その上に、上取出口を形成した取付板にヒンジを介して蓋を取付けた開閉蓋ユニットの取付板の裏面を接着
し、前記開閉蓋ユニットの上取出口の周囲における取付板の裏面を、前記紙製箱の開口の周囲および前記収納袋の下取出口の周囲に接合する
　【０００８】
　請求項１の発明によれば、開閉蓋ユニットの上取出口はわずかな変形しか許容しない剛性を有しているので、ウエットシートを取り出すとき適度な抵抗をウエットシートに与え、１枚づつ取り出すとき２枚目の引きずり出しを防止するので、確実に１枚づつ取り出すことができる
。
　ま
ているので
　さらに、
開閉蓋ユニットの上取出口の周囲における取付板の裏面が紙製箱の開口の周囲だけでなく収納袋の下取出口の周囲にも接着されているので、開閉蓋ユニットが
そして
　請求項２の発明によれば、係合部によって蓋が自然と開くことがないので、収納袋中のウエットシートへの異物の付着が避けられる。
　請求項３の発明によれば、押ボタン部を指で押すと取付板が変形して係合部が外れ、ゴム片によって蓋が自然に開くので、ワンタッチで蓋が開けられ、操作が容易である。
　請求項４の発明によれば、密閉ラベルを開閉蓋の上取出口に対して繰り返し開閉できるので、残りのウエットシートが乾燥するのを防止できる。
　請求項５の発明によれば、主として、紙製箱に収納袋を入れる動作と、紙製箱の開口の周囲表面に接着剤を塗布する操作と、この接着剤を塗布した開口の周囲表面に開閉蓋ユニットを押圧して接着する動作のみで、製造が完了する。これらの各工程はいずれも簡単であり、外から押圧するだけの作業で足り、紙製箱の内部での作業が不要であるので、完全機械化が可能である。よって、高い生産性を発揮できる。
しかも、開閉蓋ユニットが紙製箱にも、その内部の収納袋にも強固に接合されたウエットシート収納箱が得られる。
　【０００９】
　【発明の実施の形態】
　つぎに、本発明の実施形態を図面に基づき説明する。
　図１は本発明の一実施形態に係るウエットシート収納箱の斜視図である。図２は収納袋１０と紙製箱２０とそれらの収容状態の斜視図である。図３は紙製箱２０への接着剤塗布状態と、開閉蓋ユニット３０を付けた状態の斜視図である。
　図１〜図３に示すように、本実施形態のウエットシート収納箱は、ウエットシートＷＳが内部に収納された収納袋１０と、この収納袋１０が収納された紙製箱２０と、この紙製箱２０の上面に接着剤４０で取り付けられた開閉蓋ユニット３０とから構成されたものである。
　【００１０】
　まず、収納袋１０を説明する。
　図２において、（ａ）は収納袋１０を示している。
　収納袋１０は、図示しないウエットシートＷＳの集積物を収納するために、腰の強い気密性のある１枚のシートを袋状に密封したものである。この収納袋１０の上面には、ウエットシートＷＳを取り出すための下取出口１１が形成されている。
　この収納袋１０の素材としては、柔軟で気密性のある合成樹脂シートやアルミニウムフォイルなどを使用しており、例えば、ポリエチレン、ポリプロピレン、ポリエステル、ポリアミド、ポリ塩化ビニル等の合成樹脂シートの単材または複合材の石油化学製品によるフィルムシート、アルミニウムフォイル単体、あるいは、これら合成樹脂フィルムシートとアルミニウムフォイル、紙等とを張り合わせた複合シートなどが例示できる。
　【００１１】
　つぎに、紙製箱２０を説明する。
　図２（Ｂ）、（Ｃ）に示すように、この紙製箱２０は、前記収納袋１０を収納するためのものである。この紙製箱２０の上面には、開口２１が形成されている。この開口２１は、前記収納袋１０の下取出口１１よりも大きく形成されている。
　収納袋１０を紙製箱２０に収納して、紙製箱２０を組み立てると、開口２１は下取出口１１より大きいので、平面視で、紙製箱２０の開口２１から収納袋１０の下取出口１１が露出して見えるのである。
　なお、紙製箱２０の素材としては、形状保持性を有する紙であればよく、種々の紙を採択しうる。
　【００１２】
　つぎに、接着剤４０を説明する。
　図３（Ａ）に示すように、紙製箱２０の開口２１の周囲表面に、接着剤４０が塗布される。すると、紙製箱２０の開口２１の周囲表面だけでなく、収納袋１０の下取出口１１の周囲表面にも、接着剤４０が塗布されるが、その効果については後述する。
　図３（Ｂ）に示すように、紙製箱２０の上面に、開閉蓋ユニット３０を押圧して接着する。すると、開閉蓋ユニット３０を接着剤４０によって紙製箱２０を取り付けることができるのである。
　【００１３】
　この接着剤４０としては、ポリエステル系、アクリル系、ゴム系等の感圧接着剤が好ましく、この感圧接着剤は、何度も着脱動作を繰り返しても密着する性質を有している。
　【００１４】
　つぎに、開閉蓋ユニット３０を説明する。
　図４は開閉蓋ユニット３０の分解斜視図である。図５は開閉蓋ユニット３０の組立状態の斜視図である。図６は図１のウエットシート収納箱の断面図である。図４、図５および図６に示すように、この開閉蓋ユニット３０は、取付板３１、蓋３２、ゴム片３３および密閉ラベル３５から構成されたものである。開閉蓋ユニット３０は、合成樹脂製であり、わずかな変形のみ許容する剛性を有している。
　【００１５】
　取付板３１は、その裏面が、前記紙製箱２０の上面に接着剤４０によって接着される板である。この取付板３１の表面における略中央には、楕円状の下密閉リブ３１Ｃが形成されている。取付板３１において、下密閉リブ３１Ｃの内側領域の中央部には、上取出口３４が形成されている。この上取出口３４は、前記収納袋１０の下取出口１１とほぼ同じか又はより小さい大きさであり、前記紙製箱２０の開口２１より小さい。
　【００１６】
　そして、下密閉リブ３１Ｃの外側前部には、押ボタン部３１Ｂが形成されている。下密閉リブ３１Ｃの内側前部には、掛合部３１Ａが形成されている。押しボタン部３１Ｂを押し下げたり放したりすることによって、この押しボタン部３１Ｂに連動して、掛合部３１Ａが上下に揺動するが、その詳細は後述する。
　【００１７】
　取付板３１の後縁部には、蓋３２がその下端部で、ヒンジを介して開閉自在に取り付けられている。そして、蓋３２の裏面における略中央部分には、前記下密閉リブ３１Ｃの外周よりもわずかに大きな上密閉リブ３２Ｃが形成されている。蓋３２を閉じたとき、この蓋３２の上密閉リブ３２Ｃは取付板３１の下密閉リブ３１Ｃと重なり合うのである。
　【００１８】
　さらに、上密閉リブ３２Ｃの外側前部には、掛合部３２Ａが形成されている。蓋３２を閉じたときには、蓋３２の掛合部３２Ａが取付板３１の掛合部３１Ａに掛止されるので、蓋３２が自然に開くことがない。
　【００１９】
　前記取付板３１と蓋３２との間には、ゴム片３３が取り付けられている。このゴム片３３は、蓋３２を常時開く方向に付勢させるためのものである。このため、前記掛合部３２Ａを掛合部３１Ａから開放すれば、ゴム片３３によって、蓋３２は開くのである。
　【００２０】
　なお、図６では、内側の掛合部３２Ａに外側の掛合部３１Ａが掛合しているが、図７に示すように、外側の掛合部３２Ａに外側の掛合部３１Ａが掛合する構造にしてもよい。この場合、押ボタン部３１Ｂは必要でなく、蓋３２を開くときには、蓋３２の先端部分を上方に、押し上げればよい。
　【００２１】
　前記取付板３１の上取出口３４の周囲表面には、図示しない接着剤を介して、密閉ラベル３５が貼付されている。この密閉ラベル３５は、前記収納袋１０の内部を密閉して、ウエットシートＷＳが乾くのを防止するためのものである。
　前記接着剤は感圧接着剤なので、密閉ラベル３５を上取出口３４に対して、何度も着脱動作を繰り返しても密閉ラベル３５は上取出口３４に密着するのである。
　【００２２】
　なお、図８に示すように、開閉蓋ユニット３０を取付板３１、蓋３２および密閉ラベル３５から構成させ、しかも、取付板３１に掛合部３１Ａを形成せず、蓋３２に掛合部３１Ａを形成せず、押ボタン部３１Ｂを形成しない構造にしてもよい。この場合、開閉蓋ユニット３０はシンプルな構造で、製造費が安価であり、好適である。
　【００２３】
　つぎに、ウエットシート収納箱の製造方法を説明する。
　本実施形態のウエットシート収納箱を製造するには、第１に、紙製箱２０に収納袋１０を入れる。
　第２に、紙製箱２０の開口２１の周囲表面に接着剤４０を塗布する。すると、その下側の収納袋１０の下取出口１１の周囲表面にも接着剤４０の層を形成できるので、開閉蓋ユニット３０を紙製箱２０だけでなく収納袋１０に対しても強固に接合できるという効果を奏する。
　第３に、接着剤４０が塗布された開口２１の周囲表面に、開閉蓋ユニット３０を押圧して接着すると、製造が完了する。
　【００２４】
　これらの各工程はいずれも簡単であり、外から押圧するだけの作業で足り、紙製箱２０の内部での作業が不要であるので、完全機械化が可能である。よって、高い生産性を発揮できるという効果を奏する。
　【００２５】
　つぎに、本実施形態のウエットシート収納箱の作用・効果を説明する。
　まず、本実施形態のウエットシート収納箱の押ボタン部３１Ｂを指で下方へ押し下げると、掛合部３１Ａが変形して３２Ａから外れ、ゴム片３３によって蓋３２が自然に開くので、ワンタッチで蓋３２を開けることができ、操作が容易であるという効果を奏する。
　【００２６】
　つぎに、開閉蓋ユニット３０の上取出口３４からウエットシートＷＳを取り出すときに、この上取出口３４はわずかな変形しか許容しない剛性を有しているので、適度な抵抗をウエットシートＷＳに与える。したがって、ウエットシートＷＳを１枚づつ取り出すときには、２枚目のウエットシートＷＳの引きずり出しを防止するので、確実にウエットシートＷＳを１枚づつ取り出すことができるという効果を奏する。
　【００２７】
　最後に、蓋３２を閉じると、掛合部３２Ａが掛合部３１Ａに掛止されるので、蓋３２が自然に開くことがない。このため、収納袋１０の中のウエットシートＷＳへの異物の付着が避けられるという効果を奏する。
　【００２８】
　さらに、開閉蓋ユニット３０の上取出口３４と収納袋１０の下取出口１１との間にある紙製箱２０の開口２１が、下取出口１１より外方にあるので、ウエットシートＷＳのもつ湿気によって、紙製箱２０が弱くなったり劣化することがなく、ウエットシートＷＳを全部使用するまでの間、紙製箱２０の形が崩れることがないという効果を奏する。
　【００２９】
　【発明の効果】
　請求項１のウエットシート収納箱によれば、開閉蓋ユニットの上取出口はわずかな変形しか許容しない剛性を有しているので、ウエットシートを取り出すとき適度な抵抗をウエットシートに与え、１枚づつ取り出すとき２枚目の引きずり出しを防止するので、確実に１枚づつ取り出すことができ
る。
　また
ているので
　さらに、
開閉蓋ユニットの上取出口の周囲における取付板の裏面が紙製箱の開口の周囲だけでなく収納袋の下取出口の周囲にも接着されているので、開閉蓋ユニットが
そして
　請求項２のウエットシート収納
箱に
　請求項３のウエットシート収納
箱に
　請求項４のウエットシート収納箱によれば、ラベルを開閉蓋の上取出口に対して繰り返し開閉できるので、残りのウエットシートが乾燥するのを防止できる。
　請求項５のウエットシート収納箱の製造方法によれば、主として、紙製箱に収納袋を入れる動作と、紙製箱の開口の周囲表面に接着剤を塗布する操作と、この接着剤を塗布した開口の周囲表面に開閉蓋ユニットを押圧して接着する動作のみで、製造が完了する。これらの各工程はいずれも簡単であり、外からの作業で足り、箱の内部での作業が不要であるので、完全機械化が可能である。よって、高い生産性を発揮できる。
しかも、開閉蓋ユニットが紙製箱にも、その内部の収納袋にも強固に接合されたウエットシート収納箱が得られる。
【図面の簡単な説明】
　【図１】
　本発明の一実施形態に係るウエットシート収納箱の斜視図である。
　【図２】
　収納袋１０と紙製箱２０とそれらの収容状態の斜視図である。
　【図３】
　紙製箱２０への接着剤塗布状態と、開閉蓋ユニット３０を付けた状態の斜視図である。
　【図４】
　開閉蓋ユニット３０の分解斜視図である。
　【図５】
　開閉蓋ユニット３０の組立状態の斜視図である。
　【図６】
　図１のウエットシート収納箱の断面図である。
　【図７】
　他の実施形態のウエットシート収納箱の断面図である。
　【図８】
　開閉蓋ユニット３０の他の例の斜視図である。
　【符号の説明】
　１０　　収納袋
　１１　　下取出口
　２０　　紙製箱
　２１　　開口
　３０　　開閉蓋ユニット
　３１　　取付板
　３１Ａ　掛合部
　３１Ｂ　押しボタン部
　３２　　蓋
　３２Ａ　掛合部
　３３　　ゴム片
　３４　　上取出口
　３５　　密閉ラベル
　４０　　接着剤
　ＷＳ　　ウエットシート